(57)【要約】【課題】浴室内の温度および湿度をいちはやく適切な状態に到達させ、到達したことを使用者に伝達されるよう制御することができるサウナ装置を提供することを目的としている。【解決手段】空気を加温手段３により加温し、浴室内に送風する加温空気送風手段５ａと、加湿手段４により加湿し、加湿された空気を浴室内に送風する加湿空気送風手段５ｂと、サウナ装置に浴室内の温度を検出する浴室内温度検出手段９と、浴室外の温度を検出する機体外温度検出手段１０と、加湿手段４で加湿に使用されなかった余剰加湿水の温度を検出する余剰加湿水温度検出手段１１を備え、室内温度検出手段９、機体外温度検出手段１０、余剰加湿水温度検出手段１１より検出された温度に基づいて温度および湿度を調整し、浴室内の温度、湿度が所定値に到達したかを判定し、到達したならば使用者にサウナ準備完了情報を伝達されるサウナ装置を提供できる。【選択図】図１
2011050767.tif 000002
【特許請求の範囲】
【請求項１】
空気を加温する加温手段と、前記加温手段により加温された空気を浴室内に送風する加温空気送風手段と、吹出し口と、微細水滴を発生させその発生した微細水滴の気液分離を行い空気を加湿する微細水滴加湿手段と、前記微細水滴加湿手段により加湿された空気を浴室内に送風する加湿空気送風手段と、浴室内の温度を検出する浴室内温度検出手段と、前記微細水滴加湿手段により気液分離された水滴を含む加湿に使用されなかった余剰加湿水の温度を検出する余剰加湿水温度検出手段を備え、前記加温空気送風手段により加温された空気と前記加湿空気送風手段により加湿された空気を浴室内に吹出すサウナ装置において、前記加温手段および前記微細水滴加湿手段を前記浴室内温度検出手段により検出された浴室温度と前記余剰加湿水温度検出手段により検出された余剰加湿水温度が所定値を超えると情報伝達手段にて、使用者にサウナ準備完了情報を伝達する構成を特徴とするサウナ装置。
【請求項２】
運転開始より、浴室温度と余剰加湿水温度が所定値を超えるまでの時間を演算し、情報伝達手段にて、使用者にサウナ準備完了までの時刻を伝達する構成を特徴とした請求項１記載のサウナ装置。
【請求項３】
浴室温度と余剰加湿水温度の所定値に対する到達度を演算し、情報伝達手段にて、使用者にサウナ準備完了までの到達度を伝達する構成を特徴とする請求項１記載のサウナ装置。
【請求項４】
サウナ空間を使用者の好みに応じて選択できるように、浴室温度と余剰加湿水温度の所定値を任意に設定できるように構成したことを特徴とする請求項１〜３のいずれかに記載のサウナ装置。
【請求項５】
水または温水を浴室内に直接噴射する直接加湿手段を備え、前記直接加湿手段により浴室内に水または温水を噴射する構成を特徴とする請求項１〜４のいずれかに記載のサウナ装置。
【請求項６】
水または温水を浴室内に直接噴射する直接加湿手段と微細水滴加湿手段を備え、前記微細水滴加湿手段により加湿された空気を浴室内に送風する加湿空気送風手段と、浴室内の温度を検出する浴室内温度検出手段と、前記微細水滴加湿手段により気液分離された水滴を含む加湿に使用されなかった余剰加湿水の温度を検出する余剰加湿水温度検出手段を備え、前記加温空気送風手段により加温された空気と前記加湿空気送風手段により加湿された空気を浴室内に吹出すサウナ装置において、前記加温手段および前記微細水滴加湿手段を前記浴室内温度検出手段により検出された温度と前記余剰加湿水温度検出手段により検出された温度の所定値に対して、差分が大きい時は直接加湿手段と微細水滴加湿手段を併用し、差分が小さい時は微細水滴加湿手段のみを使用する構成を特徴とするサウナ装置。
【請求項７】
浴室温度と余剰加湿水温度が所定値を超えるまでの時間を演算し、前記演算結果が所定時間以内の時は微細水滴加湿手段のみを使用し、所定時間以上の時は直接加湿手段と微細水滴加湿手段を併用する構成を特徴とした請求項６記載のサウナ装置。
【請求項８】
浴室温度と余剰加湿水温度が所定値を超えるまでは直接加湿手段と微細水滴加湿手段を併用し、前記所定値を超えたあとは微細水滴加湿手段のみを使用することを特徴とした請求項６および７記載のサウナ装置。
【請求項９】
運転開始より浴室温度と余剰加湿水温度の上昇を演算し、上昇が小さい場合は直接加湿手段と微細水滴加湿手段を併用し、上昇が大きい場合は微細水滴加湿手段のみを使用する構成を特徴とした請求項６〜８のいずれかに記載のサウナ装置。
【発明の詳細な説明】
【技術分野】
【０００１】
本発明は、浴室内の温度と湿度を調整することにより、浴室内をサウナ空間とするサウナ装置に関する。
【背景技術】
【０００２】
従来、この種のサウナ装置は、浴室内の温度および湿度を検出し、検出結果に基づき、快適とされる温度および湿度範囲になるよう加温制御および加湿制御を行うものが知られている（例えば、特許文献１参照）。
【０００３】
以下、そのサウナ装置について図１２を参照しながら説明する。
【０００４】
図に示すように、装置本体１０１は吸気口１０２を通して浴室１０３内の空気を吸引し、吹出し口１０４を通して空気を吹出す循環風路１０５と、循環風路１０５に通風を行う循環ファン１０６と、循環風路１０５を通る空気に対し加温を行う加温手段１０７としての熱交換器１０８と、熱交換器１０８に配管１０９を介して温水の循環供給を行う加熱手段１１０と、熱交換器１０８に温水を放散させるミスト噴出手段１１１としての噴出ノズル１１２と、噴出ノズル１１２に温水の供給を行うための温水給水路１１３と、熱交換器１０８の下部に放散された温水を回収するドレンパン１１４と、ドレンパン１１４内に水や所定温度の湯を供給する水等供給手段１１５と、水や所定温度の湯の供給および遮断を行う電磁弁１１６と、ドレンパン１１４の排出口１１４ａと噴出ノズル１１２を連結する温水給水路１１３の途中に、ドレンパン１１４に回収された温水を再び噴出ノズル１１２に戻す循環ポンプ１１７と、ドレンパン１１４の排出口１１４ａと外部排出口１１８を連結する外部排水管１１９の途中に排水電磁弁１２０を備え、排水電磁弁１２０を開くことにより外部にドレンパン１１４内の排水を行う排水手段１２１と、浴室１０３内の温度を検知する室温センサ１２２、浴室１０３内の湿度を検知する湿度センサ１２３、ドレンパン１１４内の水温を検知する水温センサ１２４、室温センサ１２２、湿度センサ１２３、水温センサ１２４に基づき循環ファン１０６、電磁弁１１６、排水電磁弁１２０の開閉、および循環ポンプ１１７の作動を制御する制御手段１２５等を備えている。そして、浴室１０３をサウナ空間として使用する場合には、温水供給路１１３を通じて供給される温水をミストとして噴出ノズル１１２から噴出させ、かつ循環ファン１０６を作動させ、浴室１０３内の温度および湿度が適切な状態に維持されるように電磁弁１１６の開閉や循環ポンプ１１７のオン・オフを制御手段１２５により制御して熱交換器１０８に熱媒としての温水を循環供給し、この熱交換器１０８により加温および加湿された循環空気を吹出し口１０４から浴室１０３内に吹出すようにしている。
【先行技術文献】
【特許文献】
【０００５】
【特許文献１】特開２００４−２３２９３３号公報（第４−７頁、第１−５図）
【発明の概要】
【発明が解決しようとする課題】
【０００６】
このような従来の方法では、湿度センサは感湿膜に高分子材料を用いられ抵抗変化や静電容量の変化を利用した電子式湿度センサがよく用いられているが、例えば、サウナ運転を行い、結露に至るような高い湿度空間とした後に一旦運転を終了し、すぐに再度運転を開始した場合において、素子の検知部分が濡れた状態でかつ短時間では乾きにくいため、実際の湿度変化に追従できずに誤検知しやすく、また、サウナ運転のように高い湿度空間に繰り返しさらされるような環境下においてはセンサ寿命が短命化することが知られており、つまり故障しやすいという課題があり、また、運転開始より浴室がサウナ状態になったことを伝達する手段がないために、使用者がサウナ浴できるタイミングがわからず、過剰な準備運転や、準備完了前にサウナ浴をしてしまう可能性が高いために、サウナとしての満足度の欠如やエネルギーロスを招いてしまうという課題がある。
【０００７】
本発明は、このような従来の課題を解決するものであり、湿度センサを使用することなく浴室内の温度および湿度をいちはやく適切な状態に到達させ、到達したことを使用者に伝達されるよう制御することができるサウナ装置を提供することを目的としている。
【課題を解決するための手段】
【０００８】
本発明のサウナ装置は上記目的を達成するために、空気を加温する加温手段と、前記加温手段により加温された空気を浴室内に送風する加温空気送風手段と、吹出し口と、微細水滴を発生させその発生した微細水滴の気液分離を行い空気を加湿する微細水滴加湿手段と、前記微細水滴加湿手段により加湿された空気を浴室内に送風する加湿空気送風手段と、浴室内の温度を検出する浴室内温度検出手段と、前記微細水滴加湿手段により気液分離された水滴を含む加湿に使用されなかった余剰加湿水の温度を検出する余剰加湿水温度検出手段を備え、前記加温空気送風手段により加温された空気と前記加湿空気送風手段により加湿された空気を浴室内に吹出すサウナ装置において、前記加温手段および前記微細水滴加湿手段を前記浴室内温度検出手段により検出された浴室温度と前記余剰加湿水温度検出手段により検出された余剰加湿水温度が所定値を超えると情報伝達手段にて、使用者にサウナ準備完了情報を伝達することを特徴としたものである。
【０００９】
この手段により、湿度センサを使用することなく浴室内の温度および湿度がサウナとして適切な状態になったことを使用者が認知することができるサウナ装置を提供できる。
【００１０】
また、運転開始より、浴室温度と余剰加湿水温度が所定値を超えるまでの時間を演算し、情報伝達手段にて、使用者にサウナ準備完了までの時刻を伝達することを特徴としたものである。
【００１１】
この手段により、湿度センサを使用することなく浴室内の温度および湿度がサウナとして適切な状態になるまでの時間を使用者が認知することができるサウナ装置を提供できる。
【００１２】
また、浴室温度と余剰加湿水温度の所定値に対する到達度を演算し、情報伝達手段にて、使用者にサウナ準備完了までの到達度を伝達すること特徴としたものである。
【００１３】
この手段により、湿度センサを使用することなく浴室内の温度および湿度がサウナとして適切な状態に対してどれくらい近づいているかを使用者が認知することができるサウナ装置を提供できる。
【００１４】
また、サウナ空間を使用者の好みに応じて選択できるように、浴室温度と余剰加湿水温度の所定値を任意に設定できるようにしたことを特徴としたものである。
【００１５】
この手段により、湿度センサを使用することなく浴室内の温度および湿度が使用者の好みによって任意に選べるので、ハードからマイルドなサウナまで幅広くサウナが楽しめることができるサウナ装置を提供できる。
【００１６】
また、水または温水を浴室内に直接噴射する直接加湿手段を備え、前記直接加湿手段により浴室内に水または温水を噴射することを特徴としたものである。
【００１７】
この手段により、湿度センサを使用することなく浴室内の温度および湿度がサウナとして適切な状態になるとともに、微細水滴加湿手段に比べ水滴感のある直接加湿手段を使用することによって、温度、湿度の好み以外に水滴感の好みを選択することができ、水滴を浴びながら発汗効果の高いサウナ空間を楽しむ使い方と、サウナ入浴をしながら読書やテレビ鑑賞を楽しむなどリラクゼーション効果のあるサウナ空間を楽しむ使い方を使用者の嗜好に合わせて選択することができるサウナ装置を提供できる。
【００１８】
また、水または温水を浴室内に直接噴射する直接加湿手段と微細水滴加湿手段を備え、前記微細水滴加湿手段により加湿された空気を浴室内に送風する加湿空気送風手段と、浴室内の温度を検出する浴室内温度検出手段と、前記微細水滴加湿手段により気液分離された水滴を含む加湿に使用されなかった余剰加湿水の温度を検出する余剰加湿水温度検出手段を備え、前記加温空気送風手段により加温された空気と前記加湿空気送風手段により加湿された空気を浴室内に吹出すサウナ装置において、前記加温手段および前記微細水滴加湿手段を前記浴室内温度検出手段により検出された温度と前記余剰加湿水温度検出手段により検出された温度の所定値に対して、差分が大きい時は直接加湿手段と微細水滴加湿手段を併用し、差分が小さい時は微細水滴加湿手段のみを使用することを特徴としたものである。
【００１９】
この手段により、浴室内をサウナ状態にするために必要なエネルギーを有効に使うことができ、浴室の大きさや、周囲温度の変動などの負荷変動に対してもサウナ状態になるまでに必要な時間を短縮することができるサウナ装置を提供できる。
【００２０】
また、浴室温度と余剰加湿水温度が所定値を超えるまでの時間を演算し、前記演算結果が所定時間以内の時は微細水滴加湿手段のみを使用し、所定時間以上の時は直接加湿手段と微細水滴加湿手段を併用することを特徴としたものである。
【００２１】
この手段により、浴室内をサウナ状態にするために必要なエネルギーを有効に使うことができ、浴室の大きさや、周囲温度の変動などの負荷変動に対してもサウナ状態になるまでに必要な時間を一定に保つことができるサウナ装置を提供できる。
【００２２】
また、浴室温度と余剰加湿水温度が所定値を超えるまでは直接加湿手段と微細水滴加湿手段を併用し、前記所定値を超えたあとは微細水滴加湿手段のみを使用することを特徴としたものである。
【００２３】
この手段により、浴室内をサウナ状態にいち早くすることができ、所定値到達後は微細水滴加湿手段のみの運転となるため、サウナ状態を維持するエネルギーを小さくすることができ、サウナ入浴をしながら読書やテレビ鑑賞を楽しむなどリラクゼーション効果のあるサウナ空間を楽しむことができるサウナ装置を提供できる。
【００２４】
また、運転開始より浴室温度と余剰加湿水温度の上昇を演算し、上昇が小さい場合は直接加湿手段と微細水滴加湿手段を併用し、上昇が大きい場合は微細水滴加湿手段のみを使用することを特徴としたものである。
【００２５】
この手段により、浴室内の負荷（浴室の大きさ、断熱性能、周囲温度等）の変化に対して適切な運転状態を得ることができるサウナ装置を提供できる。
【発明の効果】
【００２６】
本発明によれば湿度センサを使用することなく浴室内の温度および湿度がサウナとして適切な状態になったことを使用者が認知することができるサウナ装置を提供できる。
【００２７】
また、本発明によれば湿度センサを使用することなく浴室内の温度および湿度が使用者の好みによって任意に選べるので、ハードからマイルドなサウナまで幅広くサウナが楽しめることができるサウナ装置を提供できる。
【００２８】
また、本発明によれば浴室内をサウナ状態にするために必要なエネルギーを有効に使うことができ、浴室の大きさや、周囲温度の変動などの負荷変動に対してもサウナ状態になるまでに必要な時間を短縮することができるサウナ装置を提供できる。
【図面の簡単な説明】
【００２９】
【図１】本発明の実施の形態１のサウナ装置の側面構成図
【図２】同サウナ装置の全体動作を示すフローチャート
【図３】同サウナ装置のサウナ運転動作の一例を示すフローチャート
【図４】同サウナ装置の余剰加湿水温度と浴室内湿度の関係を示す図
【図５】同サウナ装置の温度・湿度の所定値を示す図
【図６】同サウナ装置のサウナ準備完了までの時刻を伝達する制御処理を示すフローチャート
【図７】同サウナ装置のサウナ準備完了までの到達度を伝達する制御処理を示すフローチャート
【図８】同サウナ装置の直接加湿手段と微細水滴加湿手段を切り換える制御処理を示すフローチャート
【図９】同サウナ装置の加湿手段を直接加湿手段のみとしたサウナ装置の概念図
【図１０】同サウナ装置の加湿手段を微細水滴加湿手段のみとしたサウナ装置の概念図
【図１１】本発明の実施の形態２の加温空気送風手段と加湿空気送風手段を兼用したサウナ装置の側面構成図
【図１２】従来のサウナ装置の側面構成図
【発明を実施するための形態】
【００３０】
本発明の請求項１記載のサウナ装置は、空気を加温する加温手段と、前記加温手段により加温された空気を浴室内に送風する加温空気送風手段と、吹出し口と、微細水滴を発生させその発生した微細水滴の気液分離を行い空気を加湿する微細水滴加湿手段と、前記微細水滴加湿手段により加湿された空気を浴室内に送風する加湿空気送風手段と、浴室内の温度を検出する浴室内温度検出手段と、前記微細水滴加湿手段により気液分離された水滴を含む加湿に使用されなかった余剰加湿水の温度を検出する余剰加湿水温度検出手段を備え、前記加温空気送風手段により加温された空気と前記加湿空気送風手段により加湿された空気を浴室内に吹出すサウナ装置において、前記加温手段および前記微細水滴加湿手段を前記浴室内温度検出手段により検出された浴室温度と前記余剰加湿水温度検出手段により検出された余剰加湿水温度が所定値を超えると情報伝達手段にて、使用者にサウナ準備完了情報を伝達することを特徴とするサウナ装置であり、浴室内の湿度は、乾湿球湿度計の原理を利用して水の蒸発による気化熱により湿球温度に近い温度となる余剰加湿水温度を検出できるので、湿度センサを使用することなく浴室内の温度および湿度を精度よく検知することができ、浴室内の温度および湿度がサウナとして適切な状態になったことを使用者が認知することができるサウナ装置を提供できるという作用を有する。
【００３１】
また、請求項２記載のサウナ装置は、運転開始より、浴室温度と余剰加湿水温度が所定値を超えるまでの時間を演算し、情報伝達手段にて、使用者にサウナ準備完了までの時刻を伝達することを特徴とするサウナ装置であり、浴室内の温度および湿度がサウナとして適切な状態になるまでの時間を使用者が認知することができるサウナ装置を提供できるという作用を有する。
【００３２】
また、請求項３記載のサウナ装置は、浴室温度と余剰加湿水温度の所定値に対する到達度を演算し、情報伝達手段にて、使用者にサウナ準備完了までの到達度を伝達することを特徴とするサウナ装置であり、浴室内の温度および湿度がサウナとして適切な状態に対してどれくらい近づいているかを使用者が認知することができるサウナ装置を提供できるという作用を有する。
【００３３】
また、請求項４記載のサウナ装置は、サウナ空間を使用者の好みに応じて選択できるように、浴室温度と余剰加湿水温度の所定値を任意に設定できるようにしたことを特徴とするサウナ装置であり、浴室内の温度および湿度が使用者の好みによって任意に選べるので、ハードからマイルドなサウナまで幅広くサウナが楽しめることができるサウナ装置を提供できるという作用を有する。
【００３４】
また、請求項５記載のサウナ装置は、水または温水を浴室内に直接噴射する直接加湿手段を備え、前記直接加湿手段により浴室内に水または温水を噴射することを特徴とするサウナ装置であり、浴室内の温度および湿度がサウナとして適切な状態になるとともに、微細水滴加湿手段に比べ水滴感のある直接加湿手段を使用することによって、温度、湿度の好み以外に水滴感の好みを選択することができ、水滴を浴びながら発汗効果の高いサウナ空間を楽しむ使い方と、サウナ入浴をしながら読書やテレビ鑑賞を楽しむなどリラクゼーション効果のあるサウナ空間を楽しむ使い方を使用者の嗜好に合わせて選択することができるサウナ装置を提供できるという作用を有する。
【００３５】
また、請求項６記載のサウナ装置は、水または温水を浴室内に直接噴射する直接加湿手段と微細水滴加湿手段を備え、前記微細水滴加湿手段により加湿された空気を浴室内に送風する加湿空気送風手段と、浴室内の温度を検出する浴室内温度検出手段と、前記微細水滴加湿手段により気液分離された水滴を含む加湿に使用されなかった余剰加湿水の温度を検出する余剰加湿水温度検出手段を備え、前記加温空気送風手段により加温された空気と前記加湿空気送風手段により加湿された空気を浴室内に吹出すサウナ装置において、前記加温手段および前記微細水滴加湿手段を前記浴室内温度検出手段により検出された温度と前記余剰加湿水温度検出手段により検出された温度の所定値に対して、差分が大きい時は直接加湿手段と微細水滴加湿手段を併用し、差分が小さい時は微細水滴加湿手段のみを使用することを特徴とするサウナ装置であり、浴室内をサウナ状態にするために必要なエネルギーを有効に使うことができ、浴室の大きさや、周囲温度の変動などの負荷変動に対してもサウナ状態になるまでに必要な時間を短縮することができるサウナ装置を提供できるという作用を有する。
【００３６】
また、請求項７記載のサウナ装置は、浴室温度と余剰加湿水温度が所定値を超えるまでの時間を演算し、前記演算結果が所定時間以内の時は微細水滴加湿手段のみを使用し、所定時間以上の時は直接加湿手段と微細水滴加湿手段を併用することを特徴とするサウナ装置であり、浴室内をサウナ状態にするために必要なエネルギーを有効に使うことができ、浴室の大きさや、周囲温度の変動などの負荷変動に対してもサウナ状態になるまでに必要な時間を一定に保つことができるサウナ装置を提供できるという作用を有する。
【００３７】
また、請求項８記載のサウナ装置は、浴室温度と余剰加湿水温度が所定値を超えるまでは直接加湿手段と微細水滴加湿手段を併用し、前記所定値を超えたあとは微細水滴加湿手段のみを使用することを特徴とするサウナ装置であり、浴室内をサウナ状態にいち早くすることができ、所定値到達後は微細水滴加湿手段のみの運転となるため、サウナ状態を維持するエネルギーを小さくすることができ、サウナ入浴をしながら読書やテレビ鑑賞を楽しむなどリラクゼーション効果のあるサウナ空間を楽しむことができるサウナ装置を提供できるという作用を有する。
【００３８】
また、請求項９記載のサウナ装置は、運転開始より浴室温度と余剰加湿水温度の上昇を演算し、上昇が小さい場合は直接加湿手段と微細水滴加湿手段を併用し、上昇が大きい場合は微細水滴加湿手段のみを使用することを特徴とするサウナ装置であり、浴室内の負荷（浴室の大きさ、断熱性能、周囲温度等）の変化に対して適切な運転状態を得ることができるサウナ装置を提供できるという作用を有する。
【００３９】
以下、本発明の実施の形態について図面を参照しながら説明する。
【００４０】
（実施の形態１）
本発明の実施の形態１のサウナ装置について、図１〜図８を参照しながら説明する。
【００４１】
図１は基本構成を示す側面構成図、図２はサウナ装置の全体動作を示すフローチャート、図３はサウナ運転動作の一例を示すフローチャート、図４は余剰加湿水温度と浴室内湿度の関係を示す図、図５は温度・湿度の所定値を示す図、図６〜図８はサウナ運転で実行される各処理の詳細を示すフローチャートである。
【００４２】
図１に示すように、本発明の実施の形態１のサウナ装置は、筐体１内部に浴室２内を加温する加温手段３と、浴室２内を加湿する加湿手段４と、加温手段３により加温された空気を浴室２内に送風する加温空気送風手段５ａと、加湿手段４により加湿された空気を浴室２内に送風する加湿空気送風手段５ｂと、送風のための吸込み口６および吹出し口７と、加湿手段４で加湿に使用されなかった余剰加湿水を排出する排水手段８と、浴室２内の温度を検出する浴室内温度検出手段９と、浴室２外の温度を検出する機体外温度検出手段１０と、加湿に使用されなかった余剰加湿水の温度を検出する余剰加湿水温度検出手段１１と、浴室２内の空気を吸引して排気ダクト１２を通して屋外に排気する換気ファン１３で構成される換気手段１４と、加温手段３や加湿手段４、換気手段１４などを制御する制御手段１５と、運転動作や設定などの指示を行う遠隔操作装置１６を備えている。
【００４３】
加温手段３は、熱源としての給湯機１７から温水循環回路１８を介して温水の循環供給を受ける熱交換器１９と、熱交換器１９に水または温水の供給を断続する加温用熱動弁２０が、吸込み口６を通して浴室２内の空気を吸引し、吹出し口７を通して空気を吹出す循環風路２１内にあり、加温空気送風手段５ａにより通風が行われることにより、循環風路２１を通る空気を加温する。
【００４４】
加湿手段４は、浴室２内に直接水または温水を噴射することで加湿を行う直接加湿手段４ａと、水または温水を噴射する前に微細な水滴にしてから浴室２内に加湿を行う微細水滴加湿手段４ｂから成り、直接加湿手段４ａは、後述する給水手段２２により供給された水または温水を直接浴室２内に噴射手段２３である噴射ノズル２３ａにより噴射し、吸込み口６を通して浴室２内の空気を吸引し、吹出し口７を通して空気を吹出す循環風路２１を、加温空気送風手段５ａにより通風が行われることで加湿を行い、微細水滴加湿手段４ｂは、後述する給水手段２２により供給された水または温水を噴射手段２３である噴射ノズルにより水または温水を噴射し、噴射された水または温水を水破砕手段２４である加湿空気送風手段５ｂに衝突させて破砕することで細かな水滴群にし、水破砕手段２４からの水滴群から大粒の水滴を気液分離手段であるエリミネータ２５により除去した後に浴室２内に放出し、吸込み口６を通して浴室２内の空気を吸引し、吹出し口７を通して空気を吹出す循環風路２１を、加温空気送風手段５ａにより通風が行われることで加湿を行う。給水手段２２は、水または温水などを供給する水等供給手段２６と、熱源としての給湯機１７から温水循環回路１８を介して循環供給されている温水と水等供給手段２６からの水または温水との熱交換を行う水熱交換器２７と、水熱交換器２７に水または温水の供給を断続する加湿用熱動弁２８が、噴射ノズル２３ａおよび噴射ノズル２３ｂのそれぞれの噴射ノズルへ分岐された給水管２９を介して接続されている。分岐された給水管２９ａの途中に噴射ノズル２３ａへの給水を調整する給水調整弁３０ａが設けられている。また、もう一方の分岐された給水管２９ｂの途中に噴射ノズル２３ｂへの給水を調整する給水調整弁３０ｂが設けられている。また、噴射の温水温度を検知する噴射水温センサ３１が水熱交換器２７から給水管２９の分岐するまでの間に設けられている。水等供給手段２６からの水または温水と給湯機１７から循環供給されている温水と水熱交換器２７により熱交換された水または温水が、給水管２９を介して流れ、給水調整弁３０ａ、給水調整弁３０ｂにより噴射ノズル２３ａおよび噴射ノズル２３ｂへの給水が調整される。エリミネータ２５は樹脂製、金属製、あるいはセラミック製の多孔質物体などで構成されている。
【００４５】
加温空気送風手段５ａは、クロスフローファンやシロッコファンなどである。ファンを回転させることで、吸込み口６を通して浴室２内の空気を吸引し、加温手段３および加湿手段４で加温、加湿された空気を吹出し口７を通して浴室２内に吹出す方向に取り付けられており、回転数を後述の制御手段１５により制御することで通風量が変化することとなる。
【００４６】
加湿空気送風手段５ｂは、クロスフローファンやシロッコファンなどである。ファンを回転し噴射ノズル２３ｂにより噴射された水または温水を衝突させることで細かな水滴群にすることとなり、回転数を後述の制御手段１５により制御することで細かな水滴群の量が変化することとなる。
【００４７】
排水手段８は、加湿に使用されなかった余剰加湿水や、浴室２内を加湿するのに適さない、すなわち噴射温度センサ３１の検出した温度が低い場合、サウナ運転を終えた後筐体１内に残った水または温水を筐体１の外部へ排水管３２を介して排出するものである。
【００４８】
浴室内温度検出手段９は、吸込み口６近傍に設けられており、浴室２内の温度を検出し、機体外温度検出手段１０は、筐体１に着接されており、機体外の温度を検出し、余剰加湿水温度検出手段１１は、排水手段８の排水管３２に着接されており、余剰加湿水の温度を検出する。
【００４９】
浴室内温度検出手段９、機体外温度検出手段１０、余剰加湿水温度検出手段１１、噴射水温センサ３１は、温度に対して抵抗値が変化するサーミスタやリニア抵抗器および白金測温抵抗体などの温度センサ、または、２種類の異なる金属線を先端で接合し、両端の温度差に応じて発生する微弱な電圧を利用した熱電対である。
【００５０】
制御手段１５は、マイクロコンピュータなどを利用した制御基板により、後述の遠隔操作装置１６からの入力情報、加温空気送風手段５ａ、加湿空気送風手段５ｂの回転数情報、浴室内温度検出手段９、機体外温度検出手段１０、余剰加湿水温度検出手段１１からの温度情報を入力とし、その情報に応じて加温空気送風手段５ａ、換気ファン１３、加温用熱動弁２０、水破砕手段２４、加湿用熱動弁２８、給水調整弁３０ａおよび給水調整弁３０ｂなどに対し、リレーの開閉やオンオフ信号、回転数指令信号などを出力することで各々動作させ、加温手段３や加湿手段４、換気手段１４などを制御することとなる。
【００５１】
遠隔操作装置１６は、浴室２内や台所、脱衣室などに設けられた有線方式または電波や光、その他媒体を利用した無線方式の制御手段１５と双方向に通信可能なリモコンで、各操作スイッチの操作により制御手段１５に運転モードの指令を行うこととなる。遠隔操作操作装置１６には、乾燥運転モードを指令する乾燥運転スイッチ１６ａ、暖房運転モードを指令する暖房運転スイッチ１６ｂ、換気運転モードを指令する換気運転スイッチ１６ｃ、涼風運転モードを指令する涼風運転スイッチ１６ｄ、ミストサウナ運転モードおよびクリアミストサウナを指令するサウナ運転スイッチ１６ｅなどが設けられている。前記制御手段１５は前記遠隔操作装置１６の指令に基づいて、乾燥運転スイッチ１６ａが押されると乾燥運転を実行し、暖房運転スイッチ１６ｂが押されると暖房運転を実行し、換気運転スイッチ１６ｃが押されると換気運転を実行し、涼風運転スイッチ１６ｄが押されると涼風運転を実行し、サウナ運転スイッチ１６ｅが１回押されるとミストサウナ運転を実行し、サウナ運転スイッチ１６ｅが２回押されるとクリアミストサウナ運転を実行するように構成されている。また、暖房運転やサウナ運転など好みの温度設定にできるような温度設定スイッチ１６ｆや、吹出し口から吹出される風の向きを切り替えるための風向切り替えスイッチ１６ｇなどを備えている。
【００５２】
乾燥運転は、加温空気送風手段５ａを作動させ、加湿用熱動弁２８を閉状態に維持するよう作動させ、かつ浴室２内の温度が乾燥用の設定温度範囲に維持されるように、加温用熱動弁２０の開閉を制御して熱交換器１９に熱媒としての温水を循環供給するとともに、換気ファン１３を作動させて、浴室２内の空気の一部を吸引して排気ダクト１２を通して屋外に排気させながら、熱交換器１９により加温された空気が循環風路２１を通して吹出し口７から浴室２内に吹出すようにしている。
【００５３】
暖房運転は、換気ファン１３を停止させ、加湿用熱動弁２８を閉状態に維持するよう作動させ、かつ加温空気送風手段５ａを浴室２内に通風される空気の通風量が暖房用の通風量となるよう作動させるとともに、浴室２内の温度が設定温度に維持されるように、加温用熱動弁２０の開閉を制御して熱交換器１９に熱媒としての温水を循環供給し、この熱交換器１９により加温された空気が循環風路２１を通して吹出し口７から浴室２内に吹出すようにしている。
【００５４】
換気運転は、加温空気送風手段５ａを停止させ、加温用熱動弁２０を閉状態に維持するよう作動させ、かつ加湿用熱動弁２８を閉状態に維持するよう作動させるとともに、換気ファン１３を作動させ、浴室２内から吸引した空気を排気ダクト１２を通して屋外に排気するようにしている。
【００５５】
涼風運転は、加温用熱動弁２０を閉状態に維持するよう作動させ、かつ加湿用熱動弁２８を閉状態に維持するよう作動させ、加温空気送風手段５ａを作動させるとともに、換気ファン１３を作動させて、浴室２内の空気の一部を吸引して排気ダクト１２を通して屋外に排気させながら、熱交換器１９により加温することなく空気が循環風路２１を通して吹出し口７から浴室２内に吹出すようにしている。
【００５６】
サウナ運転は、遠隔操作装置１６のサウナ運転スイッチ１６ｅが１回押されるとミストサウナ運転を行い、サウナ運転スイッチ１６ｅが２回押されるとクリアミストサウナ運転を行う。
【００５７】
ミストサウナ運転は、換気ファン１３を停止させ、浴室内温度検出手段９により検出された浴室内温度、機体外温度検出手段１０により検出された機体外温度、余剰加湿水温度検出手段１１により検出された余剰加湿水温度に応じて、また、噴射温度センサ３１で検出した温度や浴室２の床や壁面からの冷輻射の影響に応じて、加湿用熱動弁２８の開閉を制御させ、加湿手段４の給水調整弁３０ａ、給水調整弁３０ｂの開閉を制御させることで噴射ノズル２３ａおよび噴射ノズル２３ｂから水または温水の噴射が行われ、噴射された水または温水を水破砕手段２４である加湿空気送風手段５ｂに衝突させて破砕し、水破砕手段２４からの水滴群から大粒の水滴を気液分離手段であるエリミネータ２５により除去することで微細水滴を放出し、加温空気送風手段５ａを浴室２内に通風される加湿空気の通風量がサウナ運転用の通風量となるよう作動させるとともに、浴室２内の温度が設定温度に維持されるように、加温用熱動弁２０の開閉を制御して熱交換器１９に熱媒としての温水を循環供給し、この熱交換器１９と加湿手段４により加温および加湿された空気が循環風路２１を通して吹出し口７から浴室２内に吹出すようにしている。
【００５８】
クリアミストサウナ運転は、換気ファン１３を停止させ、加湿手段４の給水調整弁３０ａを閉状態を維持するよう動作させ、浴室内温度検出手段９により検出された浴室２内温度、機体外温度検出手段１０により検出された機体外温度、余剰加湿水温度検出手段１１により検出された余剰加湿水温度に応じて、また、噴射温度センサ３１で検出した温度や浴室２の床や壁面からの冷輻射の影響に応じて、加湿用熱動弁２８の開閉を制御させ、加湿手段４の給水調整弁３０ｂの開閉を制御させ、水破砕手段２４からの水滴群から大粒の水滴を気液分離手段２５により除去することで目に見えないほどの微細水滴を放出し、加温空気送風手段５ａを浴室２内に通風される加湿空気の通風量がサウナ運転用の通風量となるよう作動させるとともに、浴室２内の温度が設定温度に維持されるように、加温用熱動弁２０の開閉を制御して熱交換器１９に熱媒としての温水を循環供給し、この熱交換器１９と加湿手段４により加温および加湿された空気が循環風路２１を通して吹出し口７から浴室２内に吹出すようにしている。
【００５９】
サウナ装置の全体動作について、図２のフローチャートを参照しながら説明する。
【００６０】
図２に示すように、遠隔操作装置１６からの指令に基づいて、乾燥運転、暖房運転、換気運転、涼風運転、サウナ運転の各々の運転を開始する。ステップＳ００１において、遠隔操作装置１６にて乾燥運転スイッチ１６ａが押されたかを判定し、押された場合にはステップＳ００２にて乾燥運転処理を行う。ステップＳ００１において、遠隔操作装置１６にて乾燥運転スイッチ１６ａが押されたかを判定し、押された場合にはステップＳ００２にて乾燥運転処理を行う。ステップＳ００３において、遠隔操作装置１６にて暖房運転スイッチ１６ｂが押されたかを判定し、押された場合にはステップＳ００４にて暖房運転処理を行う。ステップＳ００５において、遠隔操作装置１６にて換気運転スイッチ１６ｃが押されたかを判定し、押された場合にはステップＳ００６にて換気運転処理を行う。ステップＳ００７において、遠隔操作装置１６にて涼風運転スイッチ１６ｄが押されたかを判定し、押された場合にはステップＳ００８にて涼風運転処理を行う。ステップＳ００９において、遠隔操作装置１６にてサウナ運転スイッチ１６ｅが押されたかを判定し、押された場合にはステップＳ０１０にてサウナ運転処理を行う。
【００６１】
次に、サウナ運転処理について、図３のフローチャートを参照しながら説明する。
【００６２】
図３に示すように、ステップＳ０１１において、機体外温度のデータを取り込みおよび保持し、浴室２の床や壁面からの冷輻射の影響度合いを判断する機体外温度処理を行い、ステップＳ０１２において、サウナ運転を行った間隔により浴室２全体が完全に温まるまで加湿を行わない、または寒く感じない程度に加湿を弱め、浴室２の加温に重点をおいたサウナ起動制御の必要、不要を判断するサウナ運転間隔判定処理を行い、ステップＳ０１３において、サウナ準備が完了し、温度と湿度の調整を行う制御への移行を判定するサウナ準備完了判定処理を行い、ステップＳ０１４において、浴室２内温度および機体外温度処理後の機体外温度に基づいて、浴室２の温度と湿度が所定内、概ね温度が３５℃〜４５℃、湿度が７０％〜９５％に入るように調整を行う温度・湿度調節処理を行い、ステップＳ０１５において、浴室２内の温度、湿度が所定値に到達したかを判定し、未到達ならばステップＳ０１４の温度・湿度調節処理を行い、到達したならばステップＳ０１６にて使用者にサウナ準備完了情報を伝達する。ステップＳ０１７において、サウナ運転の終了かを判定し、終了でないなら継続してステップＳ０１４の温度・湿度調節処理を行い、サウナ運転終了まで温度・湿度調節処理を継続する。サウナ準備完了情報ステップＳ０１６の情報伝達手段とは表示、音、音声、光、匂いなどを使い、伝達装置は熱源機の浴室リモコン、台所リモコン、サウナの浴室リモコン、脱衣室リモコン、サウナ本体等を使用する。
【００６３】
次に、余剰加湿水温度と浴室内湿度の関係について、図４を参照しながら説明する。
【００６４】
図４に示すように、サウナ運転開始より余剰加湿水温度Ｇ００１は浴室内温度Ｇ００２と同様に徐々に上昇していく。浴室２内空気の露点温度は浴室２内湿度Ｇ００３と浴室２内温度Ｇ００２より図のごとき露点温度Ｇ００４となる。ここで余剰加湿水温度Ｇ００１は乾湿球湿度計の原理を利用して水の蒸発による気化熱により湿球温度に近い温度となるため露点温度Ｇ００４と相関関係が生まれるため余剰加湿水温度Ｇ００１と浴室２内温度Ｇ００２を検知できれば浴室２内湿度Ｇ００３を知りうることができる。
【００６５】
次に、温度・湿度の所定値について、図５を参照しながら説明する。
【００６６】
図５に示すように、サウナとして充分な発汗が得られる浴室２内の所定値を、例として温度４０℃、湿度８０％とすると、露点温度Ｇ００４は３６℃で、露点温度３６℃相当の余剰加湿水温度Ｇ００１は３８℃となる。浴室２内が所定値を超える状態を検知するには、浴室２温度４０℃以上かつ余剰加湿水温度３８℃以上となった時点を検知すればよいので、図１に示すような浴室内温度検出手段９と余剰加湿水温度検出手段１１により検知した温度によりサウナとして必要な所定値を判断することができる。
【００６７】
次に、サウナ準備完了までの時刻を伝達する制御処理について、図６のフローチャートを参照しながら説明する。
【００６８】
図６に示すように、サウナ運転開始後のステップＳ０１８において、浴室内温度検出手段９により検出された浴室内温度Ｔ１と余剰加湿水温度検出手段１１により検出された余剰加湿水温度Ｔ２より、ステップＳ０１９において、それぞれ所定値（浴室内温度所定値ＴＳ１、余剰加湿水温度所定値ＴＳ２）との差分ΔＴ１とΔＴ２を計算し、ステップＳ０２０において、一定時間タイマーＳ１が経過した後、ステップＳ０２１において、浴室内温度Ｔ１０と余剰加湿水温度Ｔ２０を検知する。ステップＳ０２２において、前記所定値との差分ΔＴ１、ΔＴ２が０になるまでの時間を浴室２内温度は、Ｔ１、Ｔ１０、Ｓ１より計算し、余剰加湿水温度はＴ２，Ｔ２０、Ｓ１より計算する。計算結果を準備完了までの時刻とし、リモコンなどに表示する。準備完了時刻が０以下になるまでは、前記計算を繰り返し行い、結果を表示することにより計算精度を徐々に高める。例えば、所定値を浴室内温度ＴＳ１＝４０℃、余剰加湿水温度ＴＳ２＝３８℃とし、検出された浴室２内温度Ｔ１は３０℃、余剰加湿水温度Ｔ２は２８℃、一定時間タイマーＳ１を１分とし、一定時間経過後の浴室２内温度Ｔ１０は３１℃、余剰加湿水温度Ｔ２０は３０℃とすると、所定値までの浴室２内温度到達時間ＴＩ１はＴＩ１＝（ＴＳ１―Ｔ１）／（（Ｔ１０−Ｔ１）／Ｓ１）＝（４０―３０）／（（３１−３０）／１）＝１０分、同じように所定値までの余剰加湿水温度到達時間ＴＩ２はＴＩ２＝（ＴＳ２―Ｔ２）／（（Ｔ２０−Ｔ２）／Ｓ１）＝（３８―２８）／（（３０−２８）／１）＝５分となる。ここで、便宜上、準備完了時刻としてＴＩ１とＴＩ２の長い方を表示するが、浴室２内温度と余剰加湿水温度より空気のエンタルピーを計算し、所定値を目標空気エンタルピーとすることにより、目標空気エンタルピーとの差分を計算することにより、浴室２内温度と湿度の変動がおおきくても到達目標空気エンタルピーは一定に保つことができるので、到達までの予測精度がより高めることができる。
【００６９】
次に、サウナ準備完了までの到達度を伝達する制御処理について、図７のフローチャートを参照しながら説明する。
【００７０】
図７に示すように、サウナ運転開始後のステップＳ０２５において、浴室内温度検出手段９により検出された浴室２内温度Ｔ１と余剰加湿水温度検出手段１１により検出された余剰加湿水温度Ｔ２より、ステップＳ０２６において、それぞれ所定値（浴室内温度所定値ＴＳ１、余剰加湿水温度所定値ＴＳ２）との差分ΔＴ１とΔＴ２を計算し、前記所定値との差分ΔＴ１、ΔＴ２が０に近いほど１になるようにステップＳ０２７により到達度のレベルわけをする。計算結果を準備完了までの到達度とし、ステップＳ０２８において、リモコンなどに表示する。ステップＳ０２９において、到達度が１以上になるまでは、前記計算を繰り返し行い、結果を表示する。例えば、所定値を浴室内温度ＴＳ１＝４０℃、余剰加湿水温度ＴＳ２＝３８℃とし、検出された浴室内温度Ｔ１は３０℃、余剰加湿水温度Ｔ２は２８℃とすると、所定値までの浴室内温度到達度ＴＴ１はＴＴ１＝ＴＳ１―Ｔ１＝４０―３０＝１０、同じように所定値までの余剰加湿水温度到達度ＴＴ２はＴＴ２＝ＴＳ２―Ｔ２＝３８―２８＝１０となる。計算結果を到達度に置き換えるには、実験結果などより１以内は１、２〜４は０．９５〜６は０．８．．．．等により定義づければよい。また、便宜上、到達度としてＴＴ１とＴＴ２の小さい方をを表示するが、浴室内温度と余剰加湿水温度より空気のエンタルピーを計算し、所定値を目標空気エンタルピーとすることにより、目標空気エンタルピーとの差分を計算することにより、浴室内温度と湿度の変動がおおきくても到達目標空気エンタルピーは一定に保つことができるので、到達までの予測精度がより高めることができる。
【００７１】
次に、直接加湿手段４ａと微細水滴加湿手段４ｂを切り換える制御処理について、図８のフローチャートを参照しながら説明する。
【００７２】
図８に示すように、サウナ運転開始後のステップＳ０３０において、浴室内温度検出手段９により検出された浴室内温度Ｔ１と余剰加湿水温度検出手段１１により検出された余剰加湿水温度Ｔ２より、ステップＳ０３１において、それぞれ所定値（浴室内温度所定値ＴＳ１、余剰加湿水温度所定値ＴＳ２）との差分ΔＴ１とΔＴ２を計算し、ステップＳ０３２において、前記所定値との差分ΔＴ１、ΔＴ２が５以上の場合はステップＳ０３３において、直接加湿手段４ａと微細水滴加湿手段４ｂを併用運転し、５以下の場合はステップＳ０３４において、微細水滴加湿手段を単独運転する。ステップＳ０３５において、サウナ運転終了までは、前記フローを繰り返す。ここで、便宜上、差分ΔＴ１、ΔＴ２の判断としてΔＴ１、ΔＴ２の大きい方を取り入れるが、浴室内温度と余剰加湿水温度より空気のエンタルピーを計算し、所定値を目標空気エンタルピーとすることにより、目標空気エンタルピーとの差分を計算することにより、浴室内温度と湿度の変動がおおきくても到達目標空気エンタルピーは一定に保つことができるので、切り換えに対する精度がより高めることができる。また、ステップＳ０３２の切り換え目安の所定値との差分を５としたが、使用者の好みに合わせて任意に設定可能としても良い。
【００７３】
上記のようなサウナ装置にて運転することにより、湿度センサを使用することなく浴室内の温度と湿度を適切な状態とするよう制御することができ、使い勝手の面で、使用者の嗜好や気分、体調にあわせて浴室内の温度と湿度を制御できる。
【００７４】
また、本実施の形態において、サウナ運転でミストサウナ運転とクリアミストサウナ運転を行うために、加湿手段４を直接加湿手段４ａ、微細水滴加湿手段４ｂ両方備えたが、サウナ運転をミストサウナ運転のみとした図９のような加湿手段４が直接加湿手段４ａのみとし、噴射手段２３である噴射ノズル２３ａより噴射された温水または水の一部を回収して筐体１の外部へ排水管３２を介して排出する排水手段８を備え、排水される温度を余剰加湿水温度として検出する構成であってもよく、その作用効果に差異は生じない。
【００７５】
また、本実施の形態において、サウナ運転でミストサウナ運転とクリアミストサウナ運転を行うために、加湿手段４を直接加湿手段４ａ、微細水滴加湿手段４ｂ両方備えたが、サウナ運転をクリアミストサウナ運転のみとした図１０のような加湿手段４が微細水滴加湿手段４ｂのみの構成であってもよく、その作用効果に差異は生じない。
【００７６】
また、本実施の形態において、浴室内温度検出手段９、余剰加湿水温度検出手段１１は筐体１内にある構成となっているが、それぞれ浴室内温度、余剰加湿水温度を検出できればよく、その作用効果に差異は生じない。
【００７７】
また、本実施の形態において、機体外温度検出手段１０は筐体１に着接されているとしたが、機体外温度を検出できれば浴室２の外壁に着接されていてもよく、その作用効果に差異は生じない。
【００７８】
（実施の形態２）
本実施の形態１において、加温空気送風手段５ａと加湿空気送風手段５ｂを別個に設けた構成としたが、加温空気送風手段５ａと水破砕手段２４としての加湿空気送風手段５ｂを兼用し、加温加湿空気送風手段５ｃとした図１１のような構成としたものである。
【００７９】
実施の形態１での作用効果に加え、送風手段が１つでよいため、装置の小型化を実現できるという効果がある。
【産業上の利用可能性】
【００８０】
本発明にかかるサウナ装置は、湿度センサーを使用することなく浴室内の温度および湿度をいちはやく適切な状態に制御させる構成によって、浴室のみに限らず、ビニルハウスなど屋内にて温度と湿度の管理が必要とされる空気調和装置への用途にも適用できる。
【符号の説明】
【００８１】
２    浴室
３    加温手段
４    加湿手段
４ａ  直接加湿手段
４ｂ  微細水滴加湿手段
５ａ  加温空気送風手段
５ｂ  加湿空気送風手段
７    吹出し口
９    浴室内温度検出手段
１１  余剰加湿水温度検出手段
【図１】
2011050767.tif 000003
【図２】
2011050767.tif 000004
【図３】
2011050767.tif 000005
【図４】
2011050767.tif 000006
【図５】
2011050767.tif 000007
【図６】
2011050767.tif 000008
【図７】
2011050767.tif 000009
【図８】
2011050767.tif 000010
【図９】
2011050767.tif 000011
【図１０】
2011050767.tif 000012
【図１１】
2011050767.tif 000013
【図１２】
2011050767.tif 000014
【手続補正書】
【提出日】平成22年12月21日(2010.12.21)
【手続補正１】
【補正対象書類名】明細書
【補正対象項目名】０００８
【補正方法】削除
【補正の内容】
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】変更
【補正の内容】
【００１８】
本発明のサウナ装置は上記目的を達成するために、水または温水を浴室内に直接噴射する直接加湿手段と微細水滴加湿手段を備え、前記微細水滴加湿手段により加湿された空気を浴室内に送風する加湿空気送風手段と、浴室内の温度を検出する浴室内温度検出手段と、前記微細水滴加湿手段により気液分離された水滴を含む加湿に使用されなかった余剰加湿水の温度を検出する余剰加湿水温度検出手段を備え、前記加温空気送風手段により加温された空気と前記加湿空気送風手段により加湿された空気を浴室内に吹出すサウナ装置において、前記加温手段および前記微細水滴加湿手段を前記浴室内温度検出手段により検出された温度と前記余剰加湿水温度検出手段により検出された温度の所定値に対して、差分が大きい時は直接加湿手段と微細水滴加湿手段を併用し、差分が小さい時は微細水滴加湿手段のみを使用することを特徴としたものである。
【手続補正１２】
【補正対象書類名】明細書
【補正対象項目名】００３０
【補正方法】削除
【補正の内容】
【手続補正１３】
【補正対象書類名】明細書
【補正対象項目名】００３１
【補正方法】削除
【補正の内容】
【手続補正１４】
【補正対象書類名】明細書
【補正対象項目名】００３２
【補正方法】削除
【補正の内容】
【手続補正１５】
【補正対象書類名】明細書
【補正対象項目名】００３３
【補正方法】削除
【補正の内容】
【手続補正１６】
【補正対象書類名】明細書
【補正対象項目名】００３４
【補正方法】削除
【補正の内容】
【手続補正１７】
【補正対象書類名】明細書
【補正対象項目名】００３５
【補正方法】変更
【補正の内容】
【００３５】
本発明の請求項１記載のサウナ装置は、水または温水を浴室内に直接噴射する直接加湿手段と微細水滴加湿手段を備え、前記微細水滴加湿手段により加湿された空気を浴室内に送風する加湿空気送風手段と、浴室内の温度を検出する浴室内温度検出手段と、前記微細水滴加湿手段により気液分離された水滴を含む加湿に使用されなかった余剰加湿水の温度を検出する余剰加湿水温度検出手段を備え、前記加温空気送風手段により加温された空気と前記加湿空気送風手段により加湿された空気を浴室内に吹出すサウナ装置において、前記加温手段および前記微細水滴加湿手段を前記浴室内温度検出手段により検出された温度と前記余剰加湿水温度検出手段により検出された温度の所定値に対して、差分が大きい時は直接加湿手段と微細水滴加湿手段を併用し、差分が小さい時は微細水滴加湿手段のみを使用することを特徴とするサウナ装置であり、浴室内をサウナ状態にするために必要なエネルギーを有効に使うことができ、浴室の大きさや、周囲温度の変動などの負荷変動に対してもサウナ状態になるまでに必要な時間を短縮することができるサウナ装置を提供できるという作用を有する。
【手続補正１８】
【補正対象書類名】明細書
【補正対象項目名】００３６
【補正方法】変更
【補正の内容】
【００３６】
また、請求項２記載のサウナ装置は、浴室温度と余剰加湿水温度が所定値を超えるまでの時間を演算し、前記演算結果が所定時間以内の時は微細水滴加湿手段のみを使用し、所定時間以上の時は直接加湿手段と微細水滴加湿手段を併用することを特徴とするサウナ装置であり、浴室内をサウナ状態にするために必要なエネルギーを有効に使うことができ、浴室の大きさや、周囲温度の変動などの負荷変動に対してもサウナ状態になるまでに必要な時間を一定に保つことができるサウナ装置を提供できるという作用を有する。
【手続補正１９】
【補正対象書類名】明細書
【補正対象項目名】００３７
【補正方法】変更
【補正の内容】
【００３７】
また、請求項３記載のサウナ装置は、浴室温度と余剰加湿水温度が所定値を超えるまでは直接加湿手段と微細水滴加湿手段を併用し、前記所定値を超えたあとは微細水滴加湿手段のみを使用することを特徴とするサウナ装置であり、浴室内をサウナ状態にいち早くすることができ、所定値到達後は微細水滴加湿手段のみの運転となるため、サウナ状態を維持するエネルギーを小さくすることができ、サウナ入浴をしながら読書やテレビ鑑賞を楽しむなどリラクゼーション効果のあるサウナ空間を楽しむことができるサウナ装置を提供できるという作用を有する。
【手続補正２０】
【補正対象書類名】明細書
【補正対象項目名】００３８
【補正方法】変更
【補正の内容】
【００３８】
また、請求項４記載のサウナ装置は、運転開始より浴室温度と余剰加湿水温度の上昇を演算し、上昇が小さい場合は直接加湿手段と微細水滴加湿手段を併用し、上昇が大きい場合は微細水滴加湿手段のみを使用することを特徴とするサウナ装置であり、浴室内の負荷（浴室の大きさ、断熱性能、周囲温度等）の変化に対して適切な運転状態を得ることができるサウナ装置を提供できるという作用を有する。
【手続補正２１】
【補正対象書類名】特許請求の範囲
【補正対象項目名】全文
【補正方法】変更
【補正の内容】
【特許請求の範囲】
【請求項１】
水または温水を浴室内に直接噴射する直接加湿手段と微細水滴加湿手段を備え、前記微細水滴加湿手段により加湿された空気を浴室内に送風する加湿空気送風手段と、浴室内の温度を検出する浴室内温度検出手段と、前記微細水滴加湿手段により気液分離された水滴を含む加湿に使用されなかった余剰加湿水の温度を検出する余剰加湿水温度検出手段を備え、前記加温空気送風手段により加温された空気と前記加湿空気送風手段により加湿された空気を浴室内に吹出すサウナ装置において、前記加温手段および前記微細水滴加湿手段を前記浴室内温度検出手段により検出された温度と前記余剰加湿水温度検出手段により検出された温度の所定値に対して、差分が大きい時は直接加湿手段と微細水滴加湿手段を併用し、差分が小さい時は微細水滴加湿手段のみを使用する構成を特徴とするサウナ装置。
【請求項２】
浴室温度と余剰加湿水温度が所定値を超えるまでの時間を演算し、前記演算結果が所定時間以内の時は微細水滴加湿手段のみを使用し、所定時間以上の時は直接加湿手段と微細水滴加湿手段を併用する構成を特徴とした請求項１記載のサウナ装置。
【請求項３】
浴室温度と余剰加湿水温度が所定値を超えるまでは直接加湿手段と微細水滴加湿手段を併用し、前記所定値を超えたあとは微細水滴加湿手段のみを使用することを特徴とした請求項１または２記載のサウナ装置。
【請求項４】
運転開始より浴室温度と余剰加湿水温度の上昇を演算し、上昇が小さい場合は直接加湿手段と微細水滴加湿手段を併用し、上昇が大きい場合は微細水滴加湿手段のみを使用する構成を特徴とした請求項１〜３のいずれかに記載のサウナ装置。